(57)【要約】  【課題】調味液の食品への染み込み状態をよくすることによって、調味液の染み込みやすい食品を調理する場合にも調味液が食材に染み込みすぎず、出来上がった調理物が塩分や糖分が過多となってしまわない調理方法および調理機器を提供する。  【解決手段】食品を加熱することにより９５℃〜２００℃の温度に加熱する加熱工程２９と、それを一定時間維持する沸騰維持工程３０と、沸騰維持工程３０後、冷却を行う冷却工程３１と、冷却工程３１後に６０℃〜８０℃の温度で一定時間維持する保温維持工程３２とを有し、加熱工程２９と沸騰維持工程３０と冷却工程３１と保温維持工程３２の各工程時間と、冷却工程３１の冷却速度とを食品の種類に応じて制御する。【選択図】図４
2006020919.tif 000002
【特許請求の範囲】
【請求項１】
食品を９５℃〜２００℃の温度まで加熱する加熱工程と、前記加熱工程に続いて食品を９５℃〜２００℃の温度で一定時間維持する沸騰維持工程と、前記沸騰維持工程に続いて食品を６０℃〜８０℃の温度まで冷却する冷却工程と、前記冷却工程に続いて６０℃〜８０℃の温度で一定時間維持する保温維持工程とを有し、前記加熱工程および前記沸騰維持工程および前記冷却工程および前記保温維持工程の各工程時間と前記冷却工程の冷却速度とを食品の種類によって制御する調理方法。
【請求項２】
加熱工程の前に０℃〜１０℃の温度で冷却保存する保存工程とをさらに備えた請求項１に記載の調理方法。
【請求項３】
保温維持工程の後に９５℃〜２００℃の温度に加熱する再加熱工程とをさらに備えた請求項１または２に記載の調理方法。
【請求項４】
少なくとも加熱工程と沸騰維持工程と冷却工程と保温維持工程とを食品の種類に加えて、さらに食品の重量によって制御する請求項１から３のいずれか一項に記載の調理方法。
【請求項５】
少なくとも加熱工程と沸騰維持工程と冷却工程と保温維持工程とを食品の種類に加えて、さらに食品の温度によって制御する請求項１から４のいずれか一項に記載の調理方法。
【請求項６】
断熱構造で構成された調理室と、前記調理室内に収納された食品を９５℃〜２００℃の温度まで加熱する加熱手段と、前記加熱手段によって加熱された前記食品を９５℃〜２００℃の温度で一定時間維持する沸騰維持手段と、前記沸騰維持手段によって沸騰維持された前記食品を６０℃〜８０℃の温度まで冷却を行う冷却手段と、前記冷却手段によって冷却された前記食品を６０℃〜８０℃の温度で一定時間維持する保温維持手段と、前記加熱手段および前記沸騰維持手段および前記冷却手段および前記保温維持手段の各作動時間と前記冷却手段の冷却速度とを前記食品の種類によって制御する制御装置とを備えた調理機器。
【請求項７】
加熱手段によって食品を加熱する前に、０℃〜１０℃の温度で冷却保存する保存手段とをさらに備えた請求項６に記載の調理機器。
【請求項８】
保温維持手段によって食品を６０℃〜８０℃の温度で一定時間維持した後に９５℃〜２００℃の温度に加熱する再加熱手段とをさらに備えた請求項６または７に記載の調理機器。
【請求項９】
少なくとも加熱手段と沸騰維持手段と冷却手段と保温維持手段とを食品の種類に加えて、さらに食品の重量によって制御する制御装置を備えた請求項６から８のいずれか一項に記載の調理機器。
【請求項１０】
少なくとも加熱手段と沸騰維持手段と冷却手段と保温維持手段とを食品の種類に加えて、さらに食品の温度によって制御する制御装置を備えた請求項６から９のいずれか一項に記載の調理機器。
【請求項１１】
前記断熱構造として、ウレタン発砲材で形成されたことを特徴とする請求項６から１０のいずれか一項に記載の調理機器。
【請求項１２】
前記断熱構造として、真空断熱材で形成されたことを特徴とする請求項６から１０のいずれか一項に記載の調理機器。
【発明の詳細な説明】
【技術分野】
【０００１】
本発明は、食品を調理するための調理方法および調理機器に関するものである。
【背景技術】
【０００２】
近年の食文化の多様化や質の向上にともなって、食品をより美味しく調理する為に様々な方法が提案されている。
【０００３】
一般に言われている調理とは、鍋等の容器に、食品等の調理物を収納して、加熱操作を行うことにより、組織の温度を急速に上げ、組織破壊や成分変化を生じさせることである。このように食品を組織破壊により軟らかくするためには、所定の温度以上で所定の時間維持する必要があり、調理操作の過程では、成分変化が生じた調理物内部の破壊された組織から一般に旨味と言われる成分が溶出される。
【０００４】
さらに、調味液とともに所定の時間加熱操作を行った調理物を冷却すると、その冷却過程において調味液が食品内部に染み込むことも一般によく知られている。
【０００５】
よってこの原理を応用して、加熱操作を行った調理物を、さらに断熱容器内に収納して、冷却過程を経て保温状態で調理を行うようにした保温調理機器もある。
【０００６】
上記構成の保温調理機器では、調味液とともに所定の時間、加熱操作により沸騰状態に維持した調理物を、断熱容器内に収納することにより所定の温度まで冷却され、その冷却過程において、調味液を食品内部に染み込ませ、食べるときに再加熱を行うことができるものがある（例えば、特許文献１参照）。
【特許文献１】特開平１１−１４６８３４号公報
【発明の開示】
【発明が解決しようとする課題】
【０００７】
しかしながら、上記従来の調理機器では、調味液の食品への染み込み状態をよくすることができたが、特に調味液の染み込みやすい食品を調理する場合には調味液が食材に染み込みすぎて、出来上がった調理物は塩分や糖分が過多となってしまう傾向があった。
【０００８】
このように調理物の塩分や糖分が過多となると、特に現代社会においては、その調理物を摂取する人間が健康を害し、糖尿病をはじめとする生活習慣病になりやすいという問題を抱えていた。
【０００９】
本発明は、上記従来の課題を考慮して、出来上がった調理物の塩分や糖分が過多とならないように、食品の種類によって最適な調理工程を行うことで、出来上がった調理物に含有されている塩分や糖分を低減し、かつ食品内部まで調味液を染み込ませることで官能的に美味しい調理物を得ることができる調理方法および調理機器を提供することを目的とするものである。
【課題を解決するための手段】
【００１０】
上記課題を解決するために、本発明の調理方法は、食品を９５℃〜２００℃の温度まで加熱する加熱工程と、前記加熱工程に続いて食品を９５℃〜２００℃の温度で一定時間維持する沸騰維持工程と、前記沸騰維持工程に続いて食品を６０℃〜８０℃の温度まで冷却する冷却工程と、前記冷却工程に続いて６０℃〜８０℃の温度で一定時間維持する保温維持工程とを有し、前記加熱工程および前記沸騰維持工程および前記冷却工程および前記保温維持工程の各工程時間と前記冷却工程の冷却速度とを食品の種類によって制御するものである。
【００１１】
これによって、食品の種類に応じて最適な調理工程時間を制御することができるので、調味液の食品への過剰な染み込みを防止した上で、官能的に美味しいと感じられる最適な量の調味液を食品に染み込ませる調理方法を実現することができる。
【００１２】
また、本発明の調理機器は、断熱構造で構成された調理室と、前記調理室内に収納された食品を９５℃〜２００℃の温度まで加熱する加熱手段と、前記加熱手段によって加熱された前記食品を９５℃〜２００℃の温度で一定時間維持する沸騰維持手段と、前記沸騰維持手段によって沸騰維持された前記食品を６０℃〜８０℃の温度まで冷却を行う冷却手段と、前記冷却手段によって冷却された前記食品を６０℃〜８０℃の温度で一定時間維持する保温維持手段と、前記加熱手段および前記沸騰維持手段および前記冷却手段および前記保温維持手段の各作動時間と前記冷却手段の冷却速度とを前記食品の種類によって制御する制御装置とを備えたものである。
【００１３】
これによって、食品の種類に応じて最適な調理工程時間を制御することができるので、調味液の食品への過剰な染み込みを防止した上で、官能的に美味しいと感じられる最適な量の調味液を食品に染み込ませる調理を実現する調理機器を得ることができる。
【発明の効果】
【００１４】
本発明の調理方法は、食品の種類に応じて最適な調理工程時間、冷却速度を制御することができるので、調味液の食品への過剰な染み込みを防止した上で、官能的に美味しいと感じられる最適な量の調味液を食品に染み込ませる調理方法を実現することができ、健康的でかつ美味しい調理物を提供することができる。
【００１５】
また、本発明の調理機器は、食品の種類に応じて最適な調理工程時間を制御することができるので、調味液の食品への過剰な染み込みを防止した上で、官能的に美味しいと感じられる最適な量の調味液を食品に染み込ませる調理を実現することができる調理機器を提供することができる。
【発明を実施するための最良の形態】
【００１６】
請求項１に記載の発明は、食品を９５℃〜２００℃の温度まで加熱する加熱工程と、加熱工程に続いて食品を９５℃〜２００℃の温度で一定時間維持する沸騰維持工程と、沸騰維持工程に続いて食品を６０℃〜８０℃の温度まで冷却する冷却工程と、冷却工程に続いて６０℃〜８０℃の温度で一定時間維持する保温維持工程とを有し、加熱工程および沸騰維持工程および冷却工程および保温維持工程の各工程時間と冷却工程の冷却速度を食品の種類によって制御することにより、食品組織全体に調味液が染み込んだ上で調味液の食品への過剰な染み込みを防止することができる。
【００１７】
請求項２に記載の発明は、請求項１の発明に加えて、加熱工程の前に０℃〜１０℃の温度で冷却保存する保存工程とをさらに備えたものであり、請求項１の発明の作用に加えて、食品を調理前に保存しておいても食品の鮮度が低下することを防ぐことができる。
【００１８】
請求項３に記載の発明は、請求項１または２に記載の発明に加えて、保温維持工程の後に９５℃〜２００℃の温度に加熱する再加熱工程とをさらに備えたものであり、調理後の食品を温かい状態にすることができる。
【００１９】
請求項４に記載の発明は、請求項１から３に記載の発明に加えて、少なくとも加熱工程と沸騰維持工程と冷却工程と保温維持工程とを食品の種類に加えて、さらに食品の重量によって制御するものであり、各調理工程を食品の種類に加えて重量によって制御することにより、食品の重量に応じてさらに精度良く食品組織全体に調味液が染み込んだ上で調味液の食品への過剰な染み込みを防止することができる。
【００２０】
請求項５に記載の発明は、請求項１から４に記載の発明に加えて、少なくとも加熱工程と沸騰維持工程と冷却工程と保温維持工程とを食品の種類に加えて、さらに食品の温度によって制御するものであり、各調理工程を食品の種類に加えて温度によって制御することにより、外気温や食品の温度に応じてさらに精度良く食品組織全体に調味液が染み込んだ上で調味液の食品への過剰な染み込みを防止することができる。
【００２１】
請求項６に記載の発明は、断熱構造で構成された調理室と、前記調理室内に収納された食品を９５℃〜２００℃の温度まで加熱する加熱手段と、前記加熱手段によって加熱された前記食品を９５℃〜２００℃の温度で一定時間維持する沸騰維持手段と、前記沸騰維持手段によって沸騰維持された前記食品を６０℃〜８０℃の温度まで冷却を行う冷却手段と、前記冷却手段によって冷却された前記食品を６０℃〜８０℃の温度で一定時間維持する保温維持手段と、前記加熱手段および前記沸騰維持手段および前記冷却手段および前記保温維持手段の各作動時間と前記冷却手段の冷却速度を前記食品の種類によって制御する制御装置とを備えたものであり、食品組織全体に調味液が染み込んだ上で調味液の食品への過剰な染み込みを防止する調理機器を実現することができる。
【００２２】
請求項７に記載の発明は、請求項６に記載の発明に加え、加熱手段によって食品を加熱する前に、０℃〜１０℃の温度で冷却保存する保存手段とをさらに備えたものであり、食品を調理前に保存しておいても食品の鮮度が低下することを防ぐ調理機器を実現することができる。
【００２３】
請求項８に記載の発明は、請求項６または７に記載の発明に加え、保温維持手段によって食品を６０℃〜８０℃の温度で一定時間維持した後に９５℃〜２００℃の温度に加熱する再加熱手段とをさらに備えたものであり、調理後の食品を温かい状態にする調理機器を実現することができる。
【００２４】
請求項９に記載の発明は、請求項６から８の発明に加えて、少なくとも加熱手段と沸騰維持手段と冷却手段と保温維持手段とを食品の種類に加えて、さらに食品の重量によって制御する制御装置を備えたものであり、各調理手段を食品の種類に加えて重量によって制御することにより、食品の重量に応じてさらに精度良く食品組織全体に調味液が染み込んだ上で調味液の食品への過剰な染み込みを防止する調理機器を実現することができる。
【００２５】
請求項１０に記載の発明は、請求項６から９の発明に加えて、少なくとも加熱手段と沸騰維持手段と冷却手段と保温維持手段とを食品の種類に加えて、さらに食品の温度によって制御する制御装置を備えたものであり、外気温や食品の温度に応じてさらに精度良く食品組織全体に調味液が染み込んだ上で調味液の食品への過剰な染み込みを防止する調理機器を実現することができる。
【００２６】
請求項１１に記載の発明は、請求項６または７に記載の発明に加え、断熱構造として、ウレタン発砲材で形成されたものであり、さまざまな形状の調理室に応じた断熱構成を容易に形成することができる。
【００２７】
請求項１２に記載の発明は、請求項６または７に記載の発明に加え、断熱構造として、真空断熱材で形成されたものであり、調理室の断熱性能を向上させることができる。
【００２８】
（実施の形態１）
以下、本実施の形態１における調理機器の構成および作用について、図１を参照にしながら説明する。尚、この実施の形態によってこの発明が限定されるものではない。
【００２９】
図１は、本発明の実施の形態１における調理機器を示す断面図である。
【００３０】
調理機器は、調理する調理物１０が収容されている鍋１１と、調理物の温度を非接触で検知する赤外線センサー１２と、調理する調理物を収容する鍋を加熱する電気ヒーター１３を備えており、図には示していないが、圧縮機、凝縮器、キャピラリーチューブを有し、強制対流式蒸発器１４により、調理室１５内を冷却できる構造になっている。
【００３１】
強制対流式蒸発器１４で冷却された冷気は送風機１６により調理室１５内に強制通風される。ダンパーサーモ１７は調理室入口に設けて電気的入力で冷気流入量を調整するものであり、モータ１８の駆動力によってダンパーサーモ１７を開閉するように構成されている。吐出ダクト１９は前記送風機からの冷気を前記調理室１５内に導くものであり、また吹き出し口２０は調理室１５内に冷気を吹き込むものであり、吸い込みダクト２１は調理室１５内の冷却した冷気を前記強制対流式蒸発器１４に戻すために備えられている。
【００３２】
また、調理室１５はウレタン発砲あるいは、真空断熱材で形成された断熱構造を有している。
【００３３】
図２は、本発明の実施の形態１における調理機器本体外殻の一部に設けたコントロールパネル２２であり、調理する調理物のメニューを選択するメニュー選択キー２３、選択したメニューを決定するメニュー決定ボタン２４、選択したメニューを表示するメニュー表示パネル２５、調理を開始する開始ボタン２６、調理が終了したことを知らせる終了ランプ２７を備えている。
【００３４】
調理物を調理室１５内の鍋１１に収容し、コントロールパネル２２のメニュー選択キー２３によりメニューを選択し、開始ボタン２６を押すことにより、選択されたメニューの情報に基づいて、赤外線センサー１２で検知した調理物の温度を制御することより、調理物に最適な加熱と冷却を組み合わせた調理が行われる。
【００３５】
以下、本実施の形態１における調理機器の調理室１５にて調理する工程を従来の調理方法と比較しながら説明する。
【００３６】
（表１）は、従来の調理方法で調理した食品に関するデータである。
【００３７】
【表１】
2006020919.tif 000003
【００３８】
（表１）において、従来の調理方法で、調味液とともに調理した根菜煮の調理後の調味液の染み込み状態、煮崩れ状態、官能評価による軟らかさを示している。
【００３９】
（表１）における調味液の染み込み状態の評価は、調理した食品の組織全体に調味液が染み込んでいるときには○、組織全体の１／２以上のときには△、１／２未満のときには×とした。また、調理後の食品の見栄えや食感として重要な項目である煮崩れ状態は、調理した食品の組織全体がほとんど煮崩れていないときには○、煮崩れが組織全体の１／２未満のときは△、１／２以上のときは×とした。
【００４０】
軟らかさの官能評価は、調理前の状態を０ポイントとし、１ポイント違うと軟らかさの差は明確に認識される。
【００４１】
総合評価は、調理物として染み込み状態、煮崩れ状態、軟らかさから総合的に判断して評価を行い、染み込み状態が○、煮崩れが１／２未満、軟らかさが２ポイント以上のときに○、いずれか一項目でも満足しないときには×とした。
【００４２】
（表１）により従来の調理方法１では、鍋等に調理物として根菜煮の材料と調味液を収容し、加熱操作により沸騰状態にした調理物をそのまま所定の時間維持したもので、煮崩れはほとんどなかったものの、染み込みは悪く、軟らかさも１ポイントと食べることは可能であるが十分軟らかい状態にはなっておらず、総合評価も×であった。
【００４３】
（表１）に示したように、従来の調理方法１では、沸騰状態にある調理物を所定の時間維持しているが、その時間が不充分であったため、染み込みが悪く、十分軟らかい状態にならなかった。
【００４４】
また従来の調理方法２では、従来の調理方法１と同様に鍋等に調理物として根菜煮の材料と調味液を収容し、加熱操作により沸騰状態にした調理物をそのまま所定の時間維持したもので、染み込み状態及び軟らかさは従来の調理方法１と比較して良くなった。
【００４５】
これは、（表１）により沸騰維持時間を１時間と従来の調理方法より長くすることにより、食品の組織の破壊を促進し、その結果軟らかくなり、破壊された組織から調味液が染み込んだためである。しかし、沸騰状態を１時間維持したため、調理物の外側から煮崩れが生じ調理物本来の形を維持することができず、調理物の総合的な評価としては悪かった。
【００４６】
従来の調理方法３で調理した根菜煮は、染み込み状態も良く、軟らかくなり、煮崩れもほとんどない状態が実現でき、総合評価も良かった。
【００４７】
従来の調理方法３では、断熱容器内の調理物を収容している内鍋を加熱する加熱手段と、前記内鍋の温度検知する検知手段とその温度情報をもとに加熱工程と保温工程を制御する制御手段を備えた保温調理機器を用いることにより、加熱操作により根菜煮の材料を煮崩れが生じない時間沸騰維持し、その後冷却過程を経て保温工程を行うことにより染み込みを促進させることができた。また、保温工程の間も、所定の温度が維持することができ、十分に軟らかくすることができた。
【００４８】
しかし、従来の調理方法４では、従来の調理方法３と同様の保温調理機器で従来の調理方法３の根菜煮の材料と同じ重量の大豆煮の材料を調理したもので、染み込みは従来の調理方法３より悪くなり、軟らかさも従来の調理方法より硬くなり、煮崩れは、豆の薄皮にしわが寄って悪く、根菜煮のときより総合評価は悪くなった。
【００４９】
これは、食品の種類によって、冷却時の調味液が染込む状態が異なるためである。大豆のようなタンパク質系の食材は、根菜煮のような野菜に比べて調味液が染込み難い。また、大豆の薄皮のしわは、冷却の影響を受けたためである。
【００５０】
次に、従来の調理方法３と同等の重量の大豆煮を例にとって、本実施の形態１における調理機器の調理室１５にて調理する工程を説明する。
【００５１】
まず、調理物１０である大豆煮の材料を、調理室１５内の、鍋１１に収容し、メニュー選択キー２３で大豆煮を選択し、選択したメニューをメニュー決定ボタン２４で決定する。その後開始ボタン２６を押すことにより、選択されたメニューの情報に基づいて調理が開始され、大豆煮の場合は、まず調理室１５内の加熱手段としての電気ヒーター１３が作動し、鍋１１の加熱が行われることにより鍋１１に収容された調理物１０の温度が上昇し、大豆煮の温度は、赤外線センサーにより、沸騰維持手段としての電気ヒーター１３の入力を制御することによって、所定の値で所定の時間維持される。その後、調理室１５内の強制対流式蒸発器１４が作動し、冷却手段として強制対流式蒸発器１４で冷却された冷気が送風機１６により調理室１５内に強制通風され、大豆煮は冷却され、選択されたメニューの情報に基づいて、赤外線センサーにより保温維持手段としてダンパーサーモ１７を制御することによって冷気量が調整され、所定の温度で所定の時間保温維持される。また、保温維持手段としては、ダンパーサーモ１７を制御することで冷気量を調整するとともに、温度が下がりすぎた場合には電気ヒーター１３を組み合わせて温度調節を行う。そして保温維持時間が、終了すると終了ランプが点灯する。
【００５２】
図３は、本発明の実施の形態１，２の調理工程図であり、図４は、本発明の実施の形態１，２の調理工程の温度変化を示すタイムチャートである。
【００５３】
調理物の温度Ｔが、温度Ｔｋ１より低いことを検知したとき加熱手段である電気ヒーター１３が作動し、加熱手段によって、調理物は温度Ｔｋ１以上でｔ１時間沸騰維持工程として維持される。次に、調理物の温度Ｔが温度Ｔｋ２以上であることを検知したとき冷却手段である強制対流式蒸発器１４が作動し冷却された冷気が調理室に強制通風される。その後ｔ２時間が経過したときにとき調理物の温度Ｔが温度Ｔｋ２より高ければ、さらに冷却が継続しておこなわれ、調理物の温度Ｔが温度Ｔｋ２前後でｔ３時間保温維持されるように制御され、ｔ３時間経過したら終了表示される。
【００５４】
まず、０℃〜１０℃の保存工程２８によって食品の鮮度低下を防ぎ、次に９５℃〜２００℃まで加熱する加熱工程２９によって、食品の温度を上げ、次に９５℃〜２００℃の温度で一定時間維持する沸騰維持工程３０を経た後、食品を６０℃〜８０℃まで冷却する冷却工程３１で味を染み込ませた後、６０℃〜８０℃の温度で維持する保温維持工程３２によってさらに食品内部まで味を染み込ませる。また、このようにして調理した調理物を再加熱する再加熱工程３３によって、再び食品を温めることができる。
【００５５】
なお調理物１０を加熱する加熱手段は、電気ヒーター１３に限定されるものでなく、ＩＨやガス等でもよい。また、食品の温度を検知するセンサーは、赤外線センサー１２に限定されるものではなく、芯温計等でもよい。さらに、冷却手段は強制対流式蒸発器１４に限定されるものではなく、ペルチェ式等でもよい。
【００５６】
（表２）は、実施の形態１、２の調理物に関するデータである。
【００５７】
【表２】
2006020919.tif 000004
【００５８】
（表２）により実施の形態１では、調理後の染み込み状態は良く、十分軟らかくなっており、煮崩れもない調理物が得られ、総合評価も良かった。
【００５９】
これは、（表２）の実施の形態１と同じ重量の大豆煮の従来の調理方法４の冷却速度０．５℃／ｍｉｎと比較すると、（表２）の実施の形態１の冷却速度は０．２℃／ｍｉｎと遅くなり、同じ重量で大豆煮に適した冷却速度が実現できたことにより、調味液の染み込みも良くなり、煮崩れもなく十分軟らかい調理物を得ることが出来た。
【００６０】
（表３）は食品の種類による最適な冷却速度の一例である。
【００６１】
【表３】
2006020919.tif 000005
【００６２】
（表３）においては食品に含まれる水分量の多い順にＡ、Ｂ、Ｃと分類しており、食品の水分含有量と最適な冷却速度との関係を示したものである。
【００６３】
（表３）より食品に含まれる水分含量が９０％以上であるＡの葉、果、茎野菜は、加熱維持後０．５℃／ｍｉｎ程度で冷却することで食品への味の染み込みが十分に図れた。この冷却工程においては冷却速度を食品の重量や温度を検知しながら制御していくことでより、食品の種類に応じた染み込みを図ることができる。
【００６４】
Ａの次に食品に含まれる水分含量が多い７０％から９０％であるＢのいも類、Ａ以外の根菜については、加熱維持後、Ａの食品群よりややゆっくりの冷却速度である０．３℃／ｍｉｎで冷却することで食品への味の染み込みが十分に図れた。この冷却工程においては冷却速度を食品の重量や温度を検知しながら制御していくことでより、食品の種類に応じた染み込みを図ることができる。
【００６５】
また、食品に含まれる水分含量が７０％未満であるＣの豆類、肉類については、加熱維持後、０．２℃／ｍｉｎ程度の非常に遅い冷却速度でゆっくりと冷却することで食品への味の染み込みを図ることができた。この冷却工程においては冷却速度を食品の重量や温度を検知しながら制御していくことでより、食品の種類に応じた染み込みを図ることができる。
【００６６】
このように、食品の水分含有量と冷却工程における冷却速度は密接な関係にあり、一般的に水分含有量の少ない食品ほど遅い冷却速度でじっくりと味を染み込ませる必要があり、食品の水分含有量が増すにつれて、食品へ味が染み込み易くなり、冷却工程の冷却速度を速くしても充分に味の染み込みを図ることができることがわかった。
【００６７】
また、メニューや食品の重量、種類、大きさによっては、保温維持時間終了後、さらに加熱を行うことによって、調味液の染み込みも良くなり、煮崩れもなく十分軟らかい調理物を得ることが出来る。
【００６８】
また、保存ボタンを備えたコントロールパネル２２においては、保存ボタンを調理前に押すことにより、調理室１５の鍋１１内に収容された調理物１０は冷却保存され、予め調理物１０をセットしておくことができる。また、再加熱ボタンを備えたコントロールパネル２２においては、調理が終了した調理物１０を、食べる直前に、再加熱ボタンを押すことにより、食べごろ温度にまで加熱維持することができる。さらに、タイマー等の所定の時間を自由に制御できる制御基板を備えた調理機器においては、保存時間、調理開始時間、再加熱時間を設定することができることにより、保存、調理、再加熱を自動で行うことができる。
【００６９】
以上述べたところから明らかなように、実施の形態１の調理機器は、調理物として根菜煮を調理するとき、材料の重量に関わらず最適な加熱と冷却を組み合わせた調理を実現することにより、調味液の染み込みも良く、煮崩れもなく、十分軟らかい総合評価が良い調理物を得ることができることを特徴とするものである。
【００７０】
（実施の形態２）
本実施の形態２における調理機器は、本実施の形態１の調理機器と同様の図１に示すような構成になっている。
【００７１】
従来の調理方法３と同等の重量のかぼちゃ煮を例にとって、本実施の形態２における調理機器の調理室１５にて調理する工程を説明する。まず、調理物１０であるかぼちゃ煮の材料を、調理室１５内の、鍋１１に収容し、メニュー選択キー２３で大豆煮を選択し、選択したメニューをメニュー決定ボタン２４で決定する。その後開始ボタン２６を押すことにより、選択されたメニューの情報に基づいて調理が開始され、かぼちゃ煮の場合は、まず調理室１５内の電気ヒーター１３が作動し、鍋の加熱が行われることにより鍋に収容された調理物の温度が上昇し、かぼちゃ煮の温度は、赤外線センサーにより、電気ヒーターの入力を制御することによって、所定の値で所定の時間維持される。その後、調理室１５内の強制対流式蒸発器１４が作動し、強制対流式蒸発器１４で冷却された冷気は送風機１６により調理室１５内に強制通風され、かぼちゃ煮は冷却され、選択されたメニューの情報に基づいて、赤外線センサーによりダンパーサーモ１７を制御することによって、所定の温度で所定の時間保温維持される。保温維持時間が、終了すると終了ランプが点灯する。
【００７２】
調理物を加熱する加熱手段は、電気ヒーターに限定されるものでなく、食品の温度を検知するセンサーは、赤外線センサーに限定されるものではない。さらに、冷却手段は強制対流式蒸発器に限定されるものでない。
【００７３】
（表２）により実施の形態２では、調理後の染み込み状態は良く、十分軟らかくなっており、煮崩れもない調理物が得られ、総合評価も良かった。
【００７４】
これは、（表２）の実施の形態２と同じ重量の根菜煮の従来の調理方法３の冷却速度と比較すると、（表２）の実施の形態２の冷却速度は０．３℃／ｍｉｎと遅くなり、かぼちゃ煮に最適な冷却状態が実現できたことにより、調味液の染み込みも良くなり、煮崩れもなく十分軟らかい調理物を得ることが出来た。
【００７５】
また、保存ボタンを備えたコントロールパネル２２においては、保存ボタンを調理前に押すことにより、調理室１５の鍋１１内に収容された調理物１０は冷却保存され、予め調理物１０をセットしておくことができる。また、再加熱ボタンを備えたコントロールパネル２２においては、調理が終了した調理物１０を、食べる直前に、再加熱ボタンを押すことにより、食べごろ温度にまで加熱維持することができる。さらに、タイマー等の所定の時間を自由に制御できる制御基板を備えた調理機器においては、保存時間、調理開始時間、再加熱時間を設定することができることにより、保存、調理、再加熱を自動で行うことができる。
【００７６】
以上述べたところから明らかなように、実施の形態２の調理機器は、調理物としてかぼちゃ煮を調理するとき、食品の種類に関わらず最適な加熱と冷却を組み合わせた調理を実現することにより、調味液の染み込みも良く、煮崩れもなく、十分軟らかい総合評価が良い調理物を得ることができることを特徴とするものである。
【産業上の利用可能性】
【００７７】
以上のように、本発明にかかる調理機器は、食品を調理するとき、食品の種類に応じた最適な加熱と冷却を組み合わせた調理を実現することにより、調味液の食品への染み込みすぎを防止した上で、食品内部への染み込みを十分に図ることができるので、食品以外の有機物や無機物の加熱や冷却の制御を実現する用途にも適用できる。
【図面の簡単な説明】
【００７８】
【図１】本発明の実施の形態１，２の調理機器を示す断面図
【図２】本発明の実施の形態１，２のコントロールパネルを示す図
【図３】本発明の実施の形態１，２の調理工程図
【図４】本発明の実施の形態１，２の調理工程の温度変化を示すタイムチャート
【符号の説明】
【００７９】
１０  調理物
１１  鍋
１２  赤外線センサー
１３  電器ヒーター（加熱手段）
１４，４１  強制対流式蒸発器（冷却手段）
１５  調理室
１６  送風機
１７  ダンパーサーモ
１８  モータ
１９  吐出ダクト
２０  吹き出し口
２１  吸い込みダクト
２２  コントロールパネル
２３  メニュー選択キー
２４  メニュー決定ボタン
２５  メニュー表示パネル
２６  開始ボタン
２７  終了ランプ
２８  保存工程
２９  加熱工程
３０  沸騰維持工程
３１  冷却工程
３２  保温維持工程
３３  再加熱工程
４０  室温センサー
４１  強制対流式蒸発器
４２  送風機
４３  ダンパーサーモ
４４  モータ
４５  吐出ダクト
４６  吹き出し口
４７  吸い込みダクト
【図１】
2006020919.tif 000006
【図２】
2006020919.tif 000007
【図３】
2006020919.tif 000008
【図４】
2006020919.tif 000009